(57)【特許請求の範囲】
【請求項１】
両端面（１ａ，１ｂ）が開口されたケーシング１を備え、
上記ケーシング（１）の内部に、弧状の閂片（２）が摺動可能に設けられており、
上記閂片（２）の先端部が、上記ケーシング（１）の一端面（１ａ）から引き出され他端面（１ｂ）へ挿入されることにより、上記ケーシング（１）と上記閂片（２）とで閉じた環状部が形成されて、施錠がなされ、
上記閂片（２）の先端部が、上記ケーシング（１）の上記一端面（１ａ）の側に引き戻されることにより開錠がなされる馬蹄錠において、
上記閂片（２）を操作するために、上記閂片（２）の上側にはつまみ（４）が設けられており、上記ケーシング（１）には、上記つまみ（４）を上記ケーシング（１）上にて通過させ、上記ケーシング（１）の周方向に移動させるためののスリット（１ｃ）が設けられており、
上記つまみ（４）は、その全体が、ケーシング（１）の外部に設けられるものであり、
上記閂片（２）と上記つまみ（４）とは、上記閂片（２）の上方の面に突き立てられたジョイント軸部（４ｂ）を介して接続されており、
上記つまみ（４）は付勢手段（４ｄ）により、上記閂片（２）の弧の外側方向に付勢されており、
上記つまみ（４）にはストッパー（４ａ）が設けられており、
上記ストッパー（４ａ）は、開錠時においては、ケーシング（１）の一部と当接することにより、閂片（２）がケーシング（１）より引き出されることを規制するものであり、
上記つまみ（４）を、上記付勢手段（４ｄ）の付勢に抗して、上記閂片（２）の弧の内側方向（Ｘ）に向けて押圧することにより、上記つまみ（４）全体が移動することで、上記つまみ（２）と共に上記ストッパー（４ａ）が移動し、
これにより、上記の規制が解除され、上記閂片（２）を上記ケーシング（１）から引き出すことが可能となるものであり、
施錠がなされた状態においては、上記ストッパー（４ａ）が上記ケーシング（１）の弧の内周側の外側面に当接するものであることを特徴とする、操作つまみを備えた馬蹄錠。
【請求項２】
上記閂片（２）と上記つまみ（４）とは、上記ジョイント軸部（４ｂ）及びジョイントスライド部（４ｃ）及び上記付勢手段（４ｄ）により接続されており、
上記ジョイントスライド部（４ｃ）は、上記ジョイント軸部（４ｂ）の上記ケーシング（１）から上方に突出している部分に対して被覆されており、
上記付勢手段（４ｄ）は、上記つまみ（４）の内側面と上記ジョイントスライド部（４ｃ）との間に設けられるものであり、
上記つまみ（４）は上記ジョイントスライド部（４ｃ）に対して固定されていないことを特徴とする請求項１記載の操作つまみを備えた馬蹄錠。
【発明の詳細な説明】
【０００１】
【発明の属する技術分野】
本願発明は、自転車用の馬蹄錠に関するものである。
【０００２】
【従来の技術】
馬蹄錠は、自転車の主に後側フォークに取り付けられ、駐輪時に後輪のスポーク間に閂片を通して係止することにより施錠を行うもので、広く用いられているものである。
この馬蹄錠は、図４に示すようなものであり、両端面１０１ａ，１０１ｂが開口されたケーシング１０１の内部に、弧状の閂片１０２が摺動可能に設けられたものである。ケーシング１０１は、閂片１０２が収納される部分は円環状となっており、その一部が外側に広げられて、閂片を固定するための施錠機構１０３が内蔵されている。
施錠時には、閂片１０２の先端部が、ケーシング１０１の一端面１０１ａから引き出され他端面１０１ｂへ挿入される。これにより、ケーシング１０１と閂片１０２とで閉じた環状部が形成される。自転車の車輪を挟んでこの環状部が形成されることにより、閂片１０２が車輪のスポーク同士の間を通り、車輪が回動不能の状態におかれる。これが施錠された状態である。
又、施錠機構１０３を操作することにより、閂片１０２の先端部が、ケーシング１０１の一端面１０１ａの側の内部に引き戻される。これにより、上記の状態は解除される。これが開錠された状態である。
上記の閂片１０２を操作するために、閂片１０２にはつまみ１０４が設けられており、ケーシング１０１には、つまみ１０４をケーシング１０１上にて通過させるためのスリット１０１ｃが設けられている。
【０００３】
従来の馬蹄錠においては、つまみ１０４は閂片１０２に対し固定されているものであったため、自転車の走行中に物が当たったりすることが原因で、つまみ１０４が押圧され、閂片１０２が引き出されることにより、閂片１０２が車輪に引っ掛かる事故が起こることがあった。
【０００４】
上記のことを防止することを目的として、つまみ１０４の下部にストッパー１０４ａを設けておき、かつ、つまみ１０４を閂片１０２との接続部分を中心として回動可能な構造にした馬蹄錠も存在する。図４は、このタイプの馬蹄錠を示すものである。
この構造では、つまみ１０４を操作しない時には、つまみ１０４内部のばね（図示しない）の付勢により、ストッパー１０４ａがスリット１０１ｃに位置し、閂片１０２に外力が働いても、スリット１０１ｃに設けられた係合部１０１ｄに当たり、閂片１０２を引き出す方向には移動できないようになっている。そして施錠時に、閂片１０２をケーシング１０１から引き出す時には、つまみ１０４を方向Ａに回転させることにより、ストッパー１０４ａの位置をスリット１０１ｃから外し、閂片１０２を方向Ｂに操作可能にするものである。つまり、２動作により閂片１０２を操作を行うものである。
これにより、上記のように、外力により不意につまみ１０４が移動して、閂片１０２がケーシング１０１から引き出される事故を招く可能性は少なくなっている。
【０００５】
【発明が解決しようとする課題】
しかしながら、このタイプの馬蹄錠であっても、外力のかかる角度によっては、一方向の外力であっても、上記の２動作が連続するようにつまみ１０４に働く可能性が残る。つまり、外力が図４に示す方向Ｂにのみかかった場合であっても、つまみ１０４に対する外力のかかり方によっては、つまみ１０４を回転させつつ（方向Ａ）、閂片１０２を引き出すように（方向Ｂ）、外力がかかってしまう可能性があり、そのために万が一のことを考えると、このタイプの錠でも万全のものとは言えなかった。
本願発明はこのことに鑑み、より安全性の高い馬蹄錠を提供することを課題とする。
【０００６】
【課題を解決するための手段】
上記の課題に鑑み、本願請求項１に係る発明は、
両端面１ａ，１ｂが開口されたケーシング１を備え、
上記ケーシング１の内部に、弧状の閂片２が摺動可能に設けられており、
上記閂片２の先端部が、上記ケーシング１の一端面１ａから引き出され他端面１ｂへ挿入されることにより、上記ケーシング１と上記閂片２とで閉じた環状部が形成されて、施錠がなされ、
上記閂片２の先端部が、上記ケーシング１の上記一端面１ａの側に引き戻されることにより開錠がなされる馬蹄錠において、
上記閂片２を操作するために、上記閂片２の上側にはつまみ４が設けられており、上記ケーシング１には、上記つまみ４を上記ケーシング１上にて通過させ、上記ケーシング１の周方向に移動させるためののスリット１ｃが設けられており、
上記つまみ４は、その全体が、ケーシング１の外部に設けられるものであり、
上記閂片２と上記つまみ４とは、上記閂片２の上方の面に突き立てられたジョイント軸部４ｂを介して接続されており、
上記つまみ４は付勢手段４ｄにより、上記閂片２の弧の外側方向に付勢されており、
上記つまみ４にはストッパー４ａが設けられており、
上記ストッパー４ａは、開錠時においては、ケーシング１の一部と当接することにより、閂片２がケーシング１より引き出されることを規制するものであり、
上記つまみ４を、上記付勢手段４ｄの付勢に抗して、上記閂片２の弧の内側方向Ｘに向けて押圧することにより、上記つまみ４全体が移動することで、上記つまみ２と共に上記ストッパー４ａが移動し、
これにより、上記の規制が解除され、上記閂片２を上記ケーシング１から引き出すことが可能となるものであり、
施錠がなされた状態においては、上記ストッパー４ａが上記ケーシング１の弧の内周側の外側面に当接するものであることを特徴とする、操作つまみを備えた馬蹄錠を提供する。
【０００７】
本願の請求項２に係る発明は、
上記閂片２と上記つまみ４とは、上記ジョイント軸部４ｂ及びジョイントスライド部４ｃ及び上記付勢手段４ｄにより接続されており、
上記ジョイントスライド部４ｃは、上記ジョイント軸部４ｂの上記ケーシング１から上方に突出している部分に対して被覆されており、
上記付勢手段４ｄは、上記つまみ４の内側面と上記ジョイントスライド部４ｃとの間に設けられるものであり、
上記つまみ４は上記ジョイントスライド部４ｃに対して固定されていないことを特徴とする請求項１記載の操作つまみを備えた馬蹄錠を提供する。
【０００８】
【発明の実施の形態】
次に、図と共に本願発明の実施の形態について、一例をあげて説明する。図１は、本願発明の馬蹄錠に係る、開錠時の状態を示す図であり、図２は、本願発明の馬蹄錠に係る、施錠時の状態を示す図である。
尚、本願発明の説明において用いる「ケーシング」という名称は、閂片や施錠機構を包む部材と、その部材に対するカバーとの総称として用いるものとする。  又、この説明においての「上下」の表現は、図１（Ａ）のように馬蹄錠を配位した場合に、図上で手前側を「上」、奥側を「下」と称するものとする。
【０００９】
本願発明に係る馬蹄錠の基本的な構造は、従来のものと同じであり、図１（Ａ）に示すように、両端面１ａ，１ｂが開口されたケーシング１の内部に、弧状の閂片２が摺動可能に設けられたものである。ケーシング１は、閂片２が収納される部分は円環状であり、その一部が外側に広げられて、閂片２を固定するための施錠機構３が内蔵されている。又、閂片２を操作するために、閂片２の上側にはつまみ４が設けられており、ケーシング１には、つまみ４をケーシング１上にて通過させるためのスリット（係止部）１ｃが設けられている。
【００１０】
つまみ４は、本例においては、樹脂製で平面視略四角形のものであり、表面には、つまみ４の操作方向を示す表示がなされている。又、側面には滑り止めの模様が施されている。つまみ４の下方には、つまみ４の側面の一部が延長されるようにして突起が設けられている。この突起がストッパー４ａである。本例では、ストッパー４ａは、図１（Ｂ）に示すように、つまみ４の閂片２の弧の内側方向である隅部に１箇所設けられている。閂片２とつまみ４とは、ジョイント軸部４ｂ及びジョイントスライド部４ｃ及び付勢手段４ｄにより接続されている。ジョイント軸部４ｂは、本例では金属製の軸であり、閂片２の上方の面に突き立てられ、固定されている。又、ジョイントスライド部４ｃは、ジョイント軸部４ｂのケーシング１から上方に突出している部分に対して被覆されるもので、本例では樹脂製である。付勢手段４ｄは、つまみ４の内側面とジョイントスライド部４ｃとの間に設けられるものであり、本例ではコイルばねが用いられている。尚、つまみ４はジョイントスライド部４ｃに対して固定されておらず、閂片２の弧の内側方向Ｘについて摺動が可能となっている。そして、付勢手段４ｄにより、ストッパー４ａがケーシング１のスリット１ｃに係止するように（図１（Ｃ）上に示す、閂片２の弧の外側方向Ｘ’に）付勢されている。尚、これらの要素は、ジョイント軸部４ｂが閂片２に固定されている部分の周辺を除き、ケーシング１の外部に設けられるものである。本願発明は、本例の形態に限定されるものではなく、種々に変更して実施して良い。例えば、ストッパー４ａの位置についても、本例のものに限られるものではなく、つまみ４の動作に応じて、機能上最適な位置に設けるものとして良い。
【００１１】
図１（Ａ）が、この馬蹄錠の開錠状態を示すものであり、図１（Ａ）のＩ−Ｉ断面図が図１（Ｃ）である。又、図１（Ｃ）のII−II断面図が図１（Ｂ）である。図１（Ｂ）（Ｃ）に示すように、つまみ４は付勢手段４ｄにより、閂片２の外側方向である方向Ｘ’に付勢されている。これによって、ストッパー４ａはスリット１ｃの内側に当接した状態となっている。上記の状態においては、つまみ４を閂片２の弧の内側方向である方向Ｘに移動させることなしに、閂片２の周方向である方向Ｙに移動させようとしても、ストッパーがスリット１ｃの当接部１ｄに当たるため、方向Ｙに移動させることができない。
【００１２】
上記の状態から施錠を行うには、図１（Ａ）に示すように、つまみ４を、まず方向Ｘに移動させる。（図３上では、状態４Ａから状態４Ｂに移動。）これにより、ストッパー４ａはスリット１ｃから外れ、ケーシング１の内側へ移動する。次に、上記の状態を維持したまま、（尚、この状態を維持しないと、付勢手段４ｄの付勢により、つまみ４は元の状態に戻る。）周方向Ｙへとつまみ４を移動させる。（図３上では、状態４Ｂから状態４Ｃに移動。）これにより、閂片２をケーシング１の一端側開口部１ａから出して、他端側開口部１ｂへ入れることができ、施錠状態とすることができる。尚、図示はしないが、施錠機構３により、上記の状態のまま閂片２が固定されるため、施錠状態が維持される。
【００１３】
図２（Ａ）が、この馬蹄錠の施錠状態を示すものであり、図２（Ａ）のIII
−III
断面図が図２（Ｃ）である。又、図２（Ｃ）のIV−IV断面図が図２（Ｂ）である。図２（Ｃ）に示すように、施錠状態においては、ストッパー４ａがケーシング１の内側の側面に当接するために、付勢手段４ｄを圧縮した状態を維持したままの状態となっている。この状態から開錠を行うには、開錠機構３を操作することによって、閂片２が固定されている状態を解除する。これにより、閂片２は、ケーシング内部に配位されているばね（図示しない）の付勢により、ケーシング１の内部に引き戻される。そして、上記のように圧縮状態にあった付勢手段４ｄは、閂片２が元の位置に戻り、それと共につまみ４も戻った際、伸びて元の状態に戻る。これにより、馬蹄錠は図１の状態に戻る。
【００１４】
つまみ４は上記のように、施錠のため、まず方向Ｘに移動がなされ、次に方向Ｙに移動がなされる。方向Ｘと方向Ｙとは、本例では、交点において略直角の関係にある。つまり、方向の異なる２動作により施錠がなされるものである。そのため、従来の馬蹄錠において、固定式のつまみはもとより、回転式のつまみにおいても存在していた、不意につまみが外力によって移動する可能性をほぼ０にすることができ、より安全な馬蹄錠を提供することができる。
【００１５】
尚、本例では、方向Ｘと方向Ｙとの関係を上記のようにしているが、本願発明はこれに限定されるものではない。第１の動作がストッパー４ａの係合状態を解除するものであり、第２の動作が閂片２の周方向に沿うものであり、両動作が容易に一つの外力により連続してなされない程度に、両動作の交点において角度を持って交差するものであれば良い。特に、第１の動作については、ジョイント軸部４ｂの閂片２に対する突出方向に対して交差するような方向であれば良い。より具体的には、閂片２の弧の構成する平面に対して平行となる方向である。例えば、第１の動作として、つまみ４を図１（Ｃ）に示す、閂片２の弧の外側方向Ｘ’に移動させてから、方向Ｙに移動させるものとしても良い。ただし、この場合、つまみ４に付属する各要素（ストッパー４ａ，付勢手段４ｄ等）は、つまみ４の動作に応じて最適となる位置に配位する。又、この第１の動作は、本例のような直線状の動きに限られるものではなく、上記の要件を満たすものであれば、曲線状の動きであっても良い。これらのように、本願発明は種々に変更して実施が可能である。
【００１６】
【発明の効果】
本願発明によると、方向の異なる２動作により施錠がなされることにより、不意につまみが外力によって移動する可能性をほぼ０にすることができ、従来のものに比べてより安全な馬蹄錠を提供することができる。
【００１７】
【図面の簡単な説明】
【図１】（Ａ）は本願発明に係る馬蹄錠を開錠させた状態を示す平面図であり、（Ｂ）は（Ｃ）におけるII−II断面図、（Ｃ）は（Ａ）におけるＩ−Ｉ断面図である。
【図２】（Ａ）は本願発明に係る馬蹄錠を施錠させた状態を示す平面図であり、（Ｂ）は（Ｃ）におけるIV−IV断面図、（Ｃ）は（Ａ）におけるIII
−III断面図である。
【図３】ケーシングとつまみとの位置関係を示す要部斜視図である。
【図４】従来の馬蹄錠を示す平面図である。
【符号の説明】
１ ケーシング
１ａ 一端面（ケーシング）
１ｂ 他端面（ケーシング）
２ 閂片
４ つまみ
４ａ ストッパー
Ｘ 閂片の弧の内側方向
【図１】
0004746223.tif 000002
【図２】
0004746223.tif 000003
【図３】
0004746223.tif 000004
【図４】
0004746223.tif 000005